(57)【要約】      （修正有）【課題】経時的に変化する貯水池の貯水量に対応した水深の上層部域から下層部域までの各階層域の水温を水位変化に関係なく正確に測定することができるようにする。【解決手段】本願発明の多段型水温測定装置は、貯水池の貯水量に対応した水深を前提として、その測定域を上層部域Ａと下層部域Ｂの上下２つの測定域に分割し、それに対応して上層部域Ａの水温を測定する第１の水温測定装置７と下層部域Ｂの水温を測定する第２の水温測定装置１２との２組の水温測定装置を設けるとともに、同装置各々に水位変化の吸収手段を設け、それら装置を組み合わせることによって、当該貯水池の変化する貯水量に対応した水深の上層部域から下層部域までの全体の所望水深域の水温を正確に測定することができるようにした。【選択図】図１
2018163035.tif 000002
【特許請求の範囲】
【請求項１】
池底に沈められた第１のアンカー部材と、水面に浮上される第１の浮子と、水位の変動に対応できる余長を持って上記第１の浮子を上記第１のアンカー部材に係留する第１の牽線部材と、該第１の牽線部材の上層部域において鉛直方向に多段に設けられた第１の水温センサとからなり、貯水池上層部の水温を測定する第１の水温測定装置と、池底に沈められた第２のアンカー部材と、水面に浮上される第２の浮子と、水位の変動に対応できる余長を持って上記第２の浮子を上記第２のアンカー部材に係留する第２の牽線部材と、該第２の牽線部材の下層部域において鉛直方向に多段に設けられた第２の水温センサとからなり、貯水池下層部の水温を測定する第２の水温測定装置とを備え、上記第１の水温測定装置の第１の牽線部材は、上記第１の水温センサが設けられた上層部域がワイヤー部材、下層部域がチェーン部材により構成されている一方、上記第２の水温測定装置の第２の牽線部材はワイヤー部材よりなり、該ワイヤー部材の上記第２の浮き子側先端は上記第２の浮子に設けた滑車を介して所定の長さ繰り出され、該繰り出し部の先端にウエイト部材が設けられていることを特徴とする多段型水温測定装置。
【請求項２】
第１の牽線部材を構成するワイヤー部材および第２の牽線部材を構成するワイヤー部材には、それぞれリング部材を介して相対移動可能に子ワイヤー部材が並設され、それら子ワイヤー部材に第１、第２の水温センサが取り付けられていることを特徴とする請求項１記載の多段型水温測定装置。
【請求項３】
第１の水温測定装置には、第１の浮子とは別の浮子を設け、該浮子を利用して表層部の水温を測定する第１の水温センサを設置したことを特徴とする請求項１又は２記載の多段型水温測定装置。
【請求項４】
第２の水温測定装置には、第２の浮子とは別に第２の浮子から離れた第３の浮子を設けるとともに、該第３の浮子に第２の滑車を設けて、第２の牽線部材の上端側を索垂したことを特徴とする請求項１，２又は３記載の多段型水温測定装置。
【発明の詳細な説明】
【技術分野】
【０００１】
本願発明は、水位の変動にかかわらず、水中の鉛直方向多段の位置の水温を所望に測定できるようにした多段型水温測定装置の構成に関するものである。
【背景技術】
【０００２】
従来、ダム等の貯水池における水の温度を測定する一般的な水温測定装置としては、例えば池底にアンカーブロックを沈めるとともに、該アンカーブロックから想定される水位の変動に対応できる余長を持った牽線を延ばして、水面側の浮子を係留し、該浮子部分に水中の所定の測定深さ部分に向けて延びる棒状の水温センサを設けた構成が採用されていた。
【０００３】
このような構成の場合、上記浮子部分から水中の所定の測定深さ部分に向けて延びる棒状の水温センサにより同所定深さ部分の水温を容易に測定することができる。
【０００４】
しかし、このような構成の水温測定装置の場合、水位の変動に対して適切に対応することができず、水位が変動すると、浮子が沈み、また牽線が弛んで、正確な設定位置での水温測定を行うことができない問題があった。牽線が弛むと、風の影響でフロートが流れてしまい、鉛直位置自体が変化してしまう欠点もあった。
【０００５】
そこで、このような問題を解決するために、上記構成において、例えば浮子側に滑車を取り付け、上記アンカーブロックから延びる牽線の先端側を該滑車を介して下方側にＵターンさせるとともに、その先端にバランスウエイトを設けることによって、浮子が適切に水位の変動に追従し、かつアンカーブロックからの牽線が弛むことなく、常時一定のテンションを保った状態に維持されるようにした水温測定装置が提案されている（例えば、特許文献１の構成を参照）。
【０００６】
そして、この水温測定装置の構成では、例えば上記浮子部分から水中に向けて延びる長さ（測定深さ）の異なる第１の水温センサ（水面下１ｍの水温測定）と第２の水温センサ（水面下３ｍの水温測定）が設けられ、複数段（２段）の鉛直位置での水温が測定されるようになっている。
【０００７】
このような構成の場合、水位が変動しても、滑車の作用で浮子が適切に水位の変動に追従し、かつバランスウエイトの作用で、アンカーブロックからの牽線が弛むことなく常時一定のテンションを保った状態に維持されるので、従来一般の水温測定装置の構成のように浮子が沈み、また牽線が弛んで、正確な設定位置での水温測定を行うことができない問題が解消される。
【０００８】
また、バランスウエイトのウエイト値に応じた牽線のテンション値により、風の影響でフロートが流れるのを抑制することができる。
【先行技術文献】
【特許文献】
【０００９】
【特許文献１】実開平５−３９５２号公報
【発明の概要】
【発明が解決しようとする課題】
【００１０】
ところで、上記湖等における水温の測定の中でも、ダム貯水池における濁水長期化防止対策検討のための濁水流入モデルの構築、および赤潮生物の拡散状況把握等に当たっては、当該貯水池内の同一地点での詳細な水温鉛直分布の連続測定データの取得が必要となる。
【００１１】
このような技術的課題に照らして、上記特許文献１の構成を見た場合、滑車の作用で浮子が水位の変動に追従し、かつバランスウエイトの作用でアンカーブロックからの牽線が弛むことなく常時一定のテンションを保った状態に維持されるので、浮子が沈み、また牽線が弛むことは防止できる。また、バランスウエイトのウエイト値に応じた牽線のテンション値により、風の影響でフロートが流れるのを抑制することができる。
【００１２】
しかし、上記特許文献１の構成の場合、複数の水深での水温を測定する水温センサは、浮子部分の両側に設けられていて、浮子部分から水中に向けて延びる長さ（測定深さ）の異なる第１の水温センサ（水面下１ｍの水温測定）と第２の水温センサ（水面下３ｍの水温測定）よりなるのみである。
【００１３】
したがって、特定地点の同一鉛直位置で当該貯水池の表層部から低層部までの全体に亘って所定の間隔で多段に水温を測定するということはできず、水位如何にかかわらず、常に水面から所定深さ（水面下１ｍと３ｍ）の水温を測定できるにすぎない。
【００１４】
また、それら第１、第２の水温センサが、浮子の両側に設けられていることから、測定地点が相互に異なり、同一鉛直位置での測定とはならない。
【００１５】
さらに、浮子自体に水温センサが設けられていることから、浮子に作用する風や波の影響を受けやすく、測定地点、測定深さ（鉛直位置）が変動しやすい。
【００１６】
本願発明は、このような従来の課題を解決するためになされたもので、上層部の水温を測定する水温測定装置と下層部の水温を測定する水温測定装置との２組の水温測定装置を組み合わせて水温測定装置を構成するとともに、それぞれに水位変化の吸収機能を具備させることによって、水位如何にかかわらず、所定測定地点の同一鉛直位置で当該貯水池の表層部から低層部までの全体に亘って所定の間隔で多段に水温を測定できるようにした水温測定装置を提供することを目的とするものである。
【課題を解決するための手段】
【００１７】
本願発明は、そのために、次のような有効な課題解決手段を備えて構成されている。
（１）請求項１の発明の課題解決手段
この発明の課題解決手段は、池底に沈められた第１のアンカー部材と、水面に浮上される第１の浮子と、水位の変動に対応できる余長を持って上記第１の浮子を上記第１のアンカー部材に係留する第１の牽線部材と、該第１の牽線部材の上層部域において鉛直方向に多段に設けられた第１の水温センサとからなり、貯水池上層部の水温を測定する第１の水温測定装置と、池底に沈められた第２のアンカー部材と、水面に浮上される第２の浮子と、水位の変動に対応できる余長を持って上記第２の浮子を上記第２のアンカー部材に係留する第２の牽線部材と、該第２の牽線部材の下層部域において鉛直方向に多段に設けられた第２の水温センサとからなり、貯水池下層部の水温を測定する第２の水温測定装置とを備え、上記第１の水温測定装置の第１の牽線部材は、上記第１の水温センサが設けられた上層部域がワイヤー部材、下層部域がチェーン部材により構成されている一方、上記第２の水温測定装置の第２の牽線部材はワイヤー部材よりなり、該ワイヤー部材の上記第２の浮き子側先端は上記第２の浮子に設けた滑車を介して所定の長さ繰り出され、該繰り出し部の先端にウエイト部材が設けられていることを特徴としている。
【００１８】
このような構成によると、貯水池上層部の水温を測定する第１の水温測定装置の第１の牽線部材におけるチェーン部材が、鉛直方向に多段に第１の水温センサを設けたワイヤー部材部分に対する錘となり、そのテンションを維持するテンション維持手段として機能する。しかも、同チェーン部材は、水位が低下しても、水位の低下に応じて自由に下部側が折りたたまれ、ワイヤー部材のように弛むことなく常に錘としての機能を維持し、水位変化の吸収手段としても機能する。これは、逆に水位が上昇した時も全く同様である。
【００１９】
したがって、多段に水温センサを設けたワイヤー部材部分は、常に適切な鉛直状態に維持される。その結果、各第１の水温センサは当該貯水池上層部域各部の水温を正確に測定することができる。
【００２０】
また、貯水池下層部の水温を測定する第２の水温測定装置の第２の牽線部材は、全体がワイヤー部材であり、その下層部域において鉛直方向多段に第２の水温センサが設けられており、同第２の水温センサが設けられたワイヤー部材は、上記滑車を介してテンションを維持するワイヤー部材先端のウエイト部材によって、水位の変動にかかわらず常に一定のテンションがかけられ、常に適正な鉛直状態に維持される。
【００２１】
したがって、同第２の水温測定装置の第２の水温センサによって上記第１の水温測定装置の第１の水温センサでは測定できない下層部域各部の水温が正確に測定される。
【００２２】
これらの結果、以上の構成によれば、当該貯水池の上層部から下層部までの全域に亘る鉛直方向多段部各部の水温がそれぞれ正確に測定される。
（２）請求項２の発明の課題解決手段
この発明の課題解決手段は、上記請求項１の発明の課題解決手段において、上記第１の牽線部材を構成するワイヤー部材および第２の牽線部材を構成するワイヤー部材には、それぞれリング部材を介して相対移動可能に子ワイヤー部材が並設され、それら子ワイヤー部材に第１、第２の水温センサが取り付けられていることを特徴としている。
【００２３】
このような構成によれば、上記第１の牽線部材を構成するワイヤー部材および第２の牽線部材を構成するワイヤー部材を本来の状態に維持したままで、それぞれ対応する子ワイヤー部材を引き上げるだけで、きわめて容易に第１、第２の水温センサを回収することができるようになる。
（３）請求項３の発明の課題解決手段
この発明の課題解決手段は、上記請求項１の発明の課題解決手段において、上記第１の水温測定装置には、第１の浮子とは別の浮子を設け、該浮子を利用して表層部の水温を測定する第１の水温センサを設置したことを特徴としている。
【００２４】
上記請求項１の発明の課題解決手段のように、上記第１の水温測定装置の第１の牽線部材について、上記第１の水温センサが設けられた上層部域をワイヤー部材、下層部域をチェーン部材として構成すると、チェーン部材の重みによって第１の浮子が所定深さ沈む傾向が生じる。その分、ワイヤー部材部分の第１の水温センサでは、表層部の水温が検出しにくくなる。
【００２５】
ところが、上記のように第１の浮子とは別の浮子を設け、該浮子を利用して表層部の水温を測定する第１の水温センサを設置するようにすると、そのような問題を確実に解消することができる。
（４）請求項４の発明の課題解決手段
この発明の課題解決手段は、上記請求項１、２又は３の発明の課題解決手段において、上記第２の水温測定装置には、第２の浮子とは別に第２の浮子から離れた第３の浮子を設けるとともに、該第３の浮子に第２の滑車を設けて、第２の牽線部材の上端側を索垂したことを特徴としている。
【００２６】
第２の浮子部分の滑車だけでも、第２の索線部材部分の水位変化に対応したテンション調整や長さ調整は可能である。しかし、その場合、下方側第２のアンカー部材部分から上方側滑車部に伸び、同滑車部で上方側から下方側カウンタウエイト方向に折り返した第２の索線部材および子ワイヤー部材が相互に絡まるなどして、水位変化に応じたテンション調整や長さ調整を不可能にするだけでなく、水温センサ回収のための子ワイヤー部材の引き上げを困難にする。
【００２７】
これに対して、上記のように第２の浮子とは別に第２の浮子から離れた第３の浮子を設けるとともに、該第３の浮子に第２の滑車を設けて、上記第２の牽線部材の上端側（カウントウエイト側）を索垂するようにすると、まず下方側第２のアンカー部材部分から上方側滑車部に伸び、同滑車部で上方側から下方側カウンタウエイト方向に折り返されていた第２の索線部材が、一旦水平方向に所定距離延設され、その後、第２の滑車部を介してカウンタウエイトにより下方に索垂されることになり、第２の浮子と第３の浮子間の距離により水位変化に対応した長さ調整寸法を確保し、第２の滑車から下方に索垂される索線部材の長さを短くすることができる。
【００２８】
その結果、下方側第２のアンカー部材部分から上方側滑車部に伸び、同滑車部で上方側から下方側カウンタウエイト方向に折り返した第２の索線部材および子ワイヤー部材が相互に絡まるなどの問題が確実に解消される。また、子ワイヤー部材の引き上げも容易になる。
【００２９】
このような作用効果をより確実に実現するために、より具体的には、第２の浮子と第３の浮子間の距離を一定に維持するために、第２の浮子と第３の浮子は相互に所定の長さの連結ロッドを介して連結される。
【００３０】
また、そのように構成した場合において、上記第１の滑車部から第２の滑車部以後の第２の索線部材と子ワイヤー部材が相互に絡まるのを防止するために、第１、第２の各滑車部をそれぞれ第１、第２の２つの索輪を備えた２連式のものにするなどの構成も必要に応じて採用される。
【発明の効果】
【００３１】
以上のように、本願発明の構成によれば、水位変動の影響を受けることなく、貯水池の上層部から下層部までの全域に亘る鉛直方向多段部各部の水温をそれぞれ正確に測定することができるようになる。
【００３２】
その結果、本願発明は、ダム貯水池における濁水長期化防止対策検討のための濁水流入モデルの構築、および赤潮生物の拡散状況把握等に当たっての、当該貯水池内の同一地点での詳細な水温鉛直分布の連続測定データの取得などに適したものとなる。
【図面の簡単な説明】
【００３３】
【図１】本願発明の実施の形態に係る多段型水温測定装置の使用状態（最大水深状態）における全体的な構成を示す図である。
【図２】同多段型水温測定装置の第１の水温測定装置部分の上端部の構成を示す拡大図である。
【図３】同多段型水温測定装置の第１の水温測定装置の第１の牽線部材中間部の構成を示す拡大図である。
【図４】同多段型水温測定装置の第１の水温測定装置の第１の牽線部材上部における第１の水温センサ取り付け部の構成を示す拡大図である。
【図５】同多段型水温測定装置の第２の水温測定装置部分の上端部の構成を示す拡大図である。
【図６】同多段型水温測定装置の第２の水温測定装置の第２の牽線部材下部における第２の水温センサ取り付け部の構成を示す拡大図である。
【発明を実施するための形態】
【００３４】
以下、添付の図面の図１〜図６を参照して、本願発明の実施の形態に係る多段型水温測定装置の構成および作用について、詳細に説明してゆく。
【００３５】
＜装置全体の概略的な構成＞
先ず図１は、同本願発明の実施の形態に係る多段型水温測定装置の装置全体の概略的な構成を示している。本願発明の実施の形態に係る多段型水温測定装置は、貯水池の池底１部分に沈められた第１のアンカー部材（アンカーブロック）２と、貯水池の水面３部分に浮上設置される第１の浮子（ブイ）４と、水位の変動に対応できる余長を持って上記第１の浮子４を上記第１のアンカー部材２に係留する第１の牽線部材５と、該第１の牽線部材５の上層部域Ａにおいて鉛直方向に多段に設けられた第１の水温センサ６，６・・とからなり、貯水池上層部域Ａの水温を測定する第１の水温測定装置７と、池底１部分に沈められた第２のアンカー部材８と、水面３部分に浮上設置される第２の浮子（ブイ）９と、該第２の浮子９にリンクする状態で水面３部分に浮上設置される第３の浮子（ブイ）５０と、水位の変動に対応できる余長を持って上記第２、第３の浮子９、５０を上記第２のアンカー部材８に係留する第２の牽線部材１０と、該第２の牽線部材１０の下層部域Ｂにおいて鉛直方向に多段に設けられた第２の水温センサ１１，１１・・とからなり、貯水池下層部域Ｂの水温を測定する第２の水温測定装置１２との２組の水温測定装置を備えて構成されている。
【００３６】
つまり、本願発明の実施の形態に係る多段型水温測定装置は、当該貯水池の貯水量に対応した水深を前提として、その測定域を上層部域Ａと下層部域Ｂの上下２つの測定域に分割し、それに対応して上層部域Ａの水温を測定する第１の水温測定装置７と下層部域Ｂの水温を測定する第２の水温測定装置１２との２組の水温測定装置を設け、それらの組み合わせによって当該貯水池の変化する貯水量に対応した水深の上層部域から下層部域までの全体の所望水深域の水温を測定することができるようにしている（図１の状態を参照）。
【００３７】
そのために、上記第１の水温測定装置７の第１の牽線部材５の第１の浮子４から第１のアンカー部材２までの長さおよび第２の水温測定装置７の第２の牽線部材１０の第２の浮子９から第２のアンカー部材８までの長さは、それぞれその全体の長さ（上端から下端までの長さ）が当該貯水池の最大貯水量に対応した最大水深に対応した長さとなるように設定されている。そして、その上で、上記第１の水温測定装置７の第１の牽線部材５は、以下のようなチェーン部材５ｂを用いた水深変化に対応した長さの調整とテンションの維持、また上記第２の水温測定装置１２の第２の牽線部材１０は、以下のような第３の浮子５０および第１、第２の滑車１３、４４、カウンタウエイト１４を用いた水深変化に対応した長さの調整とテンションの維持を図るようにしている。
【００３８】
＜第１の水温測定装置７における第１の牽線部材５の構成＞
上記第１の水温測定装置７の第１の牽線部材５は、上記第１の水温センサ６，６・・が設けられた上層部域Ａ部分が軽量なワイヤー部材５ａ、下層部域Ｂが重量のあるチェーン部材５ｂにより構成されている。ワイヤー部材５ａとチェーン部材５ｂは、たとえば図３のように、軸回り方向に略自由に相対回動できるように、ワイヤー部材５ａの下端部に形成したリング部に対して、係合片１５ａ部分をストレートに構成したチェーン部材５ｂ側上端部のＵ状の係合リング１５を係合して相互に一体に連結され、全体として１本の牽線部材を構成している。
【００３９】
これにより、上記第１の牽線部材５は、上層部域Ａ側ワイヤー部材５ａ部分が上記第１の水温センサ６，６・・の取り付け部、下層部域Ｂ側チェーン部材５ｂ部分がバランスウエイト（錘部材）として機能するようになる。しかも、チェーン部材５ｂは鎖構造であり、仮に貯水量が減少して水位が低下しても何ら弛むことなく、リング部の一つ一つが順々に池底１に折り畳まれてゆき、最後までバランスウエイト機能を維持し、第１の水温センサ６，６・・を設けたワイヤー部材５ａのテンション（伸長状態）を維持する。したがって、従来のような問題は生じない。
【００４０】
また、上記ワイヤー部材５ａの上端と上記浮子４下端のフック部４ａとは、たとえば図２に示すように、上記図３のチェーン部材５ｂ側の係合リング１５と同様のストレートな係合片１６ａを有するＵ状の係合リング１６を介して軸回り方向に相対回動自由に連結されている。
【００４１】
＜ワイヤー部材５ａ部分における第１の水温センサ６，６・・の取り付け構造＞
ところで、上記ワイヤー部材５ａ部分には、上述のように第１の水温センサ６，６・・が鉛直方向に所定の間隔を置いて多段構造に設けられているが、該第１の水温センサ６，６・・は、次のようにして取り付けられている。
【００４２】
すなわち、上記ワイヤー部材５ａの上端と浮子４下端のフック部４ａとを連結する係合リング１６の係合片１６ａには、所定のリング部材１７が係合されており、このリング部材１７に対して係脱可能な取り付けリング１８を介して、親ワイヤー部材としての上記ワイヤー部材５ａに並設される子ワイヤー部材１９の上端が連結されており、この子ワイヤー部材１９の上端から下端に掛けて所定の間隔をおいて多数の水温センサ６，６・・が取り付けられている。子ワイヤー部材１９の上端から下端までの長さは、上記親ワイヤー部材であるワイヤー部材５ａの長さに対応しており、その下端にはカウンタウエイト３５が設けられている。
【００４３】
子ワイヤー部材１９側には、所定の間隔をおいた水温センサ取り付け部に位置して、たとえば図４のような上下一対のカシメ部材１９ａ，１９ｂが設けられており、これらの間に水温センサ上端側第１のバインディング部材（インシュロック）６ａがバインディングされることにより水温センサ６本体の上端側が係止される。また、それよりも下方側の子ワイヤー部材１９部分に水温センサ６本体下端側第２のバインディング部材（インシュロック）６ｂがバインディングされることにより水温センサ６本体の下部側が係止されている。
【００４４】
そして、このようにして多数の第１の水温センサ６，６・・が多段構造に取り付けられた子ワイヤー部材１９は、それ自体が係脱可能なガイドリング（カラビナ）２０，２０・・を介して、上記ワイヤー部材５ａに遊嵌状態で係合されている。符号２１は、上記ガイドリング２０，２０・・をリング部材（ダブルリン）２２を介して子ワイヤー部材１９の所定位置にカシメ止めしている固定部材である。
【００４５】
これにより、多数の第１の水温センサ６，６・・が、ワイヤー部材５ａと独立して引き上げ、および吊り降ろし可能な状態で、図１のように、上記ワイヤー部材５ａに沿った状態で、鉛直方向に多段に垂設される。そして、それぞれの水深位置での水温を測定する。
【００４６】
＜第１の水温測定装置７における表層部の水温測定構造について＞
この実施の形態の構成の場合、上記浮子４には、常に上述したチェーン部材５ｂの重量による沈降負荷がかかっている。そして、それが水位の変動にかかわらず、上記ワイヤー部材５ａおよび子ワイヤー部材１９部分のテンションを適切に維持する作用を果たしている訳である。しかし、それは又上記浮子４の水没量をそうでない場合に比べて大きくすることになる。その結果、上記子ワイヤー部材１９の最上端に位置する水温センサ６もそれに応じて深い位置に水没し、そのままでは本来測定したい表層部の水温を測定することができないことになる。
【００４７】
そこで、この実施の形態では、たとえば図１、図２に示すように、上記浮子４とワイヤー部材５ａおよび子ワイヤー部材１９とを連結している係合リング１６の係合片１６ａにリング部材２３を介して上下回動自在に連結された所定の長さのアーム２４の先端に小型の浮子２５を設けるとともに、さらに該浮子２５の先端に孫ワイヤー取り付けリング２６を設け、この孫ワイヤー取り付けリング２６に対して係脱可能な連結リング２７を介して孫ワイヤー２８の上端を連結している。
【００４８】
そして、この孫ワイヤー２８部分に上記子ワイヤー部材１９の場合と同様にして表層部の水温を測定するための第１の水温センサ６を設けている。また、同孫ワイヤー２８の下端には垂設テンション維持用のカウンタウエイト２９が設けられている。
【００４９】
このような構成によると、上記小型の浮子２５は、上述したチェーン部材５ｂの重量による影響を受けることなく自由な浮力を維持することができ、上記表層部水温測定用の第１の水温センサ６を常時水面３に近い表層部に位置させて水温を測定することができる。
【００５０】
＜水温データ回収時の水没防止用の補助浮子３４，３２の設置＞
上記構成において、符号３４、３２は、水温データ回収時の水没防止用の補助浮子であり、それぞれ所定の長さのフレキシブルワイヤー３３，３１を介して上記子ワイヤー部材１９、孫ワイヤー２８の上端部分に連結されている。
【００５１】
この実施の形態の構成では、上記図１の設置状態に所定期間維持された第１の水温測定センサ６，６・・は、それらを取り付けている上記子ワイヤー部材１９を引き上げることにより、船等の上に引き上げられて回収され、それぞれのデータがチェック記録される。ところが、引き上げ途中で何かの拍子に手を放すと、折角引き上げられつつあった第１の水温センサ６，６・・が再び沈んでしまい、新たな引き上げのために船を移動させるなどの面倒な作業を伴う。
【００５２】
ところが、図示のような補助浮子３４があると、それを手繰り寄せて同じ位置で再び引き上げを行うことができる。したがって、引き上げ作業が容易になる。この作用は、表層部の水温を測定する第１の水温センサ６側の補助浮子３２の場合にも全く同様である。
【００５３】
＜第２の水温測定装置１２における第２の牽線部材１０の構成＞
一方、上記第２の水温測定装置１２の第２の牽線部材１０は、その全体が同一の（１本の）ワイヤー部材よりなり、該第２の牽線部材１０の上記第２の浮き子９側先端は上記第２の浮子９の下部側に設けた上記第１の滑車１３を介して直交方向反対側水平方向に長く延出され、さらに上記第３の浮子５０の下部側に設けた第２の滑車４４を介して直交方向下方に索垂され、該索垂部の下端には長さ調節およびテンション維持用のカウンタウエイト１４が設けられている。
【００５４】
また、第２、第３の浮子９、５０は、所定の長さの連結ロッド４７を介して相互に自由移動可能に連結されており、それら第２、第３の浮子９、５０、第１、第２の滑車１３、４４、カウンタウエイト１４の作用によって、当該貯水池の水深変化に対応した第２の牽線部材１０の第２の浮子９部分から第２のアンカー部材８部分までの長さの調整とテンションの維持が図られるようになっている。
【００５５】
そして、全体がワイヤー部材よりなる上記第２の牽線部材１０は、その下層部域Ｂ側部分の上端側から下端側までが上記第２の水温センサ１１，１１・・の取り付け部分となっており、後述するようにして第２の水温センサ１１，１１・・が取り付けられる。そして、その適切なテンション状態は、水位変化を吸収する上記第１、第２の滑車１３、４４を介した上記カウンタウエイト１４で維持されるようになっている。
【００５６】
＜第１、第２の滑車１３、４４と第２、第３の浮子９、５０との連結構造＞
ところで、上記第１の滑車１３上端の連結リング４６と上記第２の浮子９下端のフック部９ａとは、たとえば図５に示すように、下部側にストレートな係合片４５ａを有するＵ状の係合リング４５を介して軸回り方向に相対回動自由に連結されている。また、上記第２の滑車４４上端の連結リング４９と上記第３の浮子５０下端のフック部５０ａとは、同じく図５に示すように、下部側にストレートな係合片４８ａを有するＵ状の係合リング４８を介して軸回り方向に相対回動自由に連結されている。
【００５７】
また、上記第２、第３の浮子９、５０は、すでに述べたように所定の長さの連結ロッド４７を介して相互に水面３に沿って水平方向に連結されているが、その連結ロッド４７両端にはリング部材４７ａ，４７ｂが設けられており、これらを上記第２、第３の浮子９、５０側Ｕ状の係合リング４５、４８の係合片４５ａ、４８ａに嵌合して連結されている。したがって、上記第１、第２の滑車１３，４４部分も相対的な動きは自由でありながらも、相互の相対的な位置、および距離関係は当該連結ロッド４７により常時一定の関係に適正に規制されている。
【００５８】
したがって、上記第１の滑車１３と第２の滑車４４間の距離、すなわち上記第１の滑車１３と第２の滑車４４間の第２の牽線部材１０の操り出し長さ、第２の滑車４４から下方側への第２の牽線部材１０先端の索垂長さ、それらを合わせた第１の滑車１３からの第２の牽線部材１０の全操出し長さも、当該貯水池の最大水深量を前提に水位変化を考慮して適正に設定、規制することができるようになっている。上記連結ロッド４７の長さも、当然、それを考慮して所望の長さに設定されている。
【００５９】
ところで、この実施の形態の場合、上記連結ロッド４７は、上記第２、第３の浮子９、５０と共に、その長さによって上記第２の索線部材１０の水位変化に対応した調整距離を上下方向ではなく、水平方向に向けて稼いでおり、それによって第２の滑車４４から下方への第２の索線部材１０の索垂長さを可及的に短くするようにしている。
【００６０】
もちろん、上記第２の浮子９部分の第１の滑車１３だけでも、上記第２の索線部材１０部分のテンション調整や長さ調整は可能である。しかし、その場合、下方から上方、上方から下方に折り返した第２の牽線部材１０同士、また子ワイヤー部材４０同士が相互に絡まるなどして、テンション調整や長さ調整を不可能にするだけでなく、水温センサ１１，１１・・回収のための子ワイヤー部材４０の引き上げを困難にする。
【００６１】
ところが、上記のように第２の浮子９とは別に第２の浮子９から離れた第３の浮子５０を設けるとともに、該第３の浮子５０に第２の滑車４４を設けて、上記第２の牽線部材１０の上端側（カウントウエイト１４側）を索垂するようにすると、まず下方側第２のアンカー部材８部分から上方側第１の滑車１３に伸び、同第１の滑車１３部分で上方側から下方側カウンタウエイト方向に折り返される第２の索線部材１０が、一旦水平方向に所定距離延設され、その後、第２の滑車４４を介してカウンタウエイト１４により下方に索垂されることになり、第２の浮子９と第３の浮子５０間の距離により水位変化に対応した長さ調整寸法を有効に確保することができ、第２の滑車４４から下方に索垂される索線部材の長さを可及的に短くすることができる（図１、図５の状態を参照）。
【００６２】
その結果、下方側第２のアンカー部材部分８から上方側第１の滑車１３に伸び、同第１の滑車１３部分で上方側から下方側カウンタウエイト１４方向に折り返した場合に第２の索線部材１０および子ワイヤー部材４０が相互に絡まる問題が確実に解消される。また、水温センサ１１，１１・・回収のための子ワイヤー部材４０の引き上げも容易になる。
【００６３】
＜第１、第２の滑車１３、４４の構造＞
この実施の形態の場合、上記第１、第２の滑車１３、４４としては、それぞれ図５に示されるように、第１、第２の２組の索輪１３ａ，１３ｂ、４４ａ，４４ｂを備えた２連式のものが採用されており、一方側第１の索輪１３ａ，４４ａが上述した第２の牽線部材１０のガイド用、他方側第２の索輪１３ｂ，４４ｂが後述する第２の水温センサ１１，１１・・を取り付けた子ワイヤー部材４０ガイド用のものとして構成されている。
【００６４】
このように構成すると、水位が変動し、それに応じて第２の牽線部材１０および子ワイヤー部材４０が昇降移動した時にも、当該第２の牽線部材１０と同第２の牽線部材１０にガイドリング２０，２０・・を介して並設（沿設）されている子ワイヤー部材４０が相互に絡むことなく、それぞれ単独でスムーズにガイドされるようになる。
【００６５】
＜第２の牽線部材１０部分における第２の水温センサ１１，１１・・の取り付け構造＞
上記のように第２の牽線部材１０（その下層域Ｂ部分）には、上述のように第２の水温センサ１１，１１・・が鉛直方向に所定の間隔を置いて多段構造に設けられており、該第２の水温センサ１１，１１・・は、上述した第１の水温測定装置７の場合とは異なり、次のようにして取り付けられている。
【００６６】
すなわち、上記第２の牽線部材１０に沿う第２のアンカー部材８位置から第１の滑車１３の第２の索輪１３ｂ〜第２の滑車の第２の索輪４４ｂ〜カウンタウエイト４３位置には、上記第２の牽線部材１０よりも細めの子ワイヤー部材４０が掛け渡されている。そして、同子ワイヤー部材４０の上記第２のアンカー部材８側下端にもカウンタウエイト４１が設けられており、上記第２の滑車４４の第２の索輪４４ｂを介して垂設された上端側のカウンタウエイト４３との重量バランスにより、常時水深に応じて所望のテンションを維持した伸長状態に維持されている（図１参照）。
【００６７】
図１の状態は、上述した第１の水温測定装置７側の第１の牽線部材５が全体に亘って伸びきった当該貯水池の最大水深状態における水温測定状態を示しており、この状態において、当該貯水池の上層部域Ａと下層部域Ｂとが、例えば略１／２の関係で区切られ、それに対応して上記第１の水温測定装置７の第１の水温センサ６，６・・と第２の水温測定装置１２の第２の水温センサ１１，１１・・の測定エリアが設定されている。
【００６８】
上記第２の水温測定装置１２の子ワイヤー部材４０の上端（カウンタウエイト１４部分）から下端（カウンタウエイト４１部分）までの長さも、上記親ワイヤー部材である第２の牽線部材１０の長さに対応しており、上記第２の浮子９〜第２のアンカー部材８・カウンタウエイト４１部分の長さは、水深の変化に対応した上記第２、第３の浮子９、５０およびカウンタウエイト１４、４３の昇降に応じて、一定のテンションを維持した状態で伸縮する（上下間鉛直長さが変わる）。そして、同子ワイヤー部材４０の下層域Ｂ部分における上端から下端部に掛けて所定の間隔をおいて多数の第２の水温センサ１１，１１・・が取り付けられている。
【００６９】
すなわち、上記子ワイヤー部材４０には、所定の間隔をおいた水温センサ取り付け部に位置して、たとえば図６のような上下一対のカシメ部材４０ａ，４０ｂが設けられており、これらの間に水温センサ上端側第１のバインディング部材１１ａがバインディングされることにより水温センサ１１本体の上端側が係止される。また、それよりも下方側の子ワイヤー部材４０部分に水温センサ１１本体下端側第２のバインディング部材１１ｂがバインディングされることにより水温センサ１１本体の下部側が係止される。そして、このようにして多数の水温センサ１１，１１・・が多段構造に取り付けられた子ワイヤー部材４０は、それ自体が係脱可能なガイドリング（カラビナ）２０，２０・・を介して、上記親ワイヤーとしてのワイヤー部材１０に対して遊嵌状態で係合されている。符号２１は、上記ガイドリング２０，２０・・をリング部材（ダブリン）２２を介して子ワイヤー部材４０の所定位置にカシメ止めしている固定部材（インシュロック）である。
【００７０】
これにより、多数の第２の水温センサ１１，１１・・が、中心となるワイヤー部材１０とは独立して引き上げ、および吊り降ろし可能な状態で、図１のように、第２の牽線部材１０に沿った状態で、鉛直方向に多段に垂設されることになる。そして、その時の水深に応じて、それぞれの水深位置での水温を正確に測定記録する。
【００７１】
これらの結果、この実施の形態の構成によれば、上記第１の水温測定装置７側の第１の水温センサ６，６・・、第２の水温測定装置１２側の第２の水温センサ１１，１１・・により、常に貯水池の表層域から底層域までの鉛直方向各部の水温を、経時的な水位変化の影響を受けることなく、所望の階層域ごとに適切に測定することが可能となる。
【００７２】
その結果、同構成によれば、たとえばダム貯水池における濁水長期化防止対策検討のための濁水流入モデルの構築、および赤潮生物の拡散状況把握等に当たっての、当該貯水池内の同一地点での詳細な水温鉛直分布の連続測定データの取得などに適したものとなる。
【００７３】
なお、以上の構成において使用されるワイヤー部材５ａ、チェーン部材５ｂ、第２の牽線部材１０、子ワイヤー部材１９、子ワイヤー部材４０その他の各種金属部材は、ステンレス製品等の錆びないものが採用され、また鉄製品などを使用する場合には、十分な防錆加工が施されることは言うまでもない。
【符号の説明】
【００７４】
１は池底、２は第１のアンカー部材、３は水面、４は第１の浮子、５は第１の牽線部材、５ａはワイヤー部材、５ｂはチェーン部材、６は第１の水温センサ、７は第１の水温測定装置、８は第２のアンカー部材、９は第２の浮子、１０は第２の牽線部材、１１は第２の水温センサ、１２は第２の水温測定装置、１３は第１の滑車、１４はカウンタウエイト、１５はＵ状の係合リング、１６はＵ状の係合リング、１９は子ワイヤー部材、２０はガイドリング、４０はワイヤー部材、４１はカウンタウエイト、４４は第２の滑車、４５はＵ状の係合リング、５０は第３の浮子である。
【図１】
2018163035.tif 000003
【図２】
2018163035.tif 000004
【図３】
2018163035.tif 000005
【図４】
2018163035.tif 000006
【図５】
2018163035.tif 000007
【図６】
2018163035.tif 000008